(57)【特許請求の範囲】
【請求項１】
移植可能なプロテーゼ構成部品において、
表面および長手軸を有する細長い本体部と、
前記本体部の表面に形成されて前記本体部の長手軸にほぼ平行に延在する複数のリブと、
を備え、
当該複数のリブが、
第１のリブと、
当該第１のリブに隣接する第２のリブと、
当該第２のリブに隣接する第３のリブとを備えており、前記第１のリブと前記第２のリブとの間の第１の間隔が、前記第２のリブと前記第３のリブとの間の第２の間隔よりも大きい、プロテーゼ構成部品。
【請求項２】
請求項１に記載のプロテーゼ構成部品において、
前記第１のリブおよび第２のリブが互いに平行である、プロテーゼ構成部品。
【請求項３】
請求項１または２に記載のプロテーゼ構成部品において、
前記第１のリブおよび第２のリブの長さが異なる、プロテーゼ構成部品。
【請求項４】
請求項１〜３のいずれかに記載のプロテーゼ構成部品において、
前記プロテーゼ構成部品が股プロテーゼの大腿骨構成部品である、プロテーゼ構成部品。
【請求項５】
請求項１〜４のいずれかに記載のプロテーゼ構成部品において、
前記第２のリブが前記第１のリブよりも外側がわにある、プロテーゼ構成部品。
【請求項６】
請求項１〜５のいずれかに記載のプロテーゼ構成部品において、
前記第１の間隔および第２の間隔が４ミリメートル〜６ミリメートルの範囲で変化する、プロテーゼ構成部品。
【請求項７】
請求項１〜６のいずれかに記載のプロテーゼ構成部品において、
前記複数のリブがそれぞれそのリブの頂上部により形成される骨係合端部を有している、プロテーゼ構成部品。
【請求項８】
請求項７に記載のプロテーゼ構成部品において、
前記骨係合端部がプロテーゼ構成部品の長さに沿って減少する高さを有している、プロテーゼ構成部品。
【請求項９】
請求項８に記載のプロテーゼ構成部品において、
前記高さがプロテーゼ構成部品の基端部から先端部にかけて減少している、プロテーゼ構成部品。
【請求項１０】
請求項１〜９のいずれかに記載のプロテーゼ構成部品において、
前記複数のリブがそれぞれ０．５ミリメートル〜５．０ミリメートルの範囲の高さを有している、プロテーゼ構成部品。
【請求項１１】
請求項１〜１０のいずれかに記載のプロテーゼ構成部品において、
前記第１のリブが前記第２のリブの高さとは異なる高さを有している、プロテーゼ構成部品。
【請求項１２】
請求項１〜１１のいずれかに記載のプロテーゼ構成部品において、
前記複数のリブがそれぞれほぼ三角形の断面を有している、プロテーゼ構成部品。
【請求項１３】
請求項１〜１２のいずれかに記載のプロテーゼ構成部品において、
前記複数のリブがさらに第４のリブおよび第５のリブを含み、前記第１のリブ、第２のリブ、第３のリブ、第４のリブおよび第５のリブの少なくとも１個が前記本体部の一端から当該本体部の全長の２分の１の点まで延在している、プロテーゼ構成部品。
【請求項１４】
請求項１〜１３のいずれかに記載のプロテーゼ構成部品において、
前記プロテーゼ構成部品が股プロテーゼの大腿骨構成部品であり、前記リブが前記本体部の前方部分に形成されている、プロテーゼ構成部品。
【請求項１５】
請求項１４に記載のプロテーゼ構成部品において、
リブが前記本体部の後方部分にさらに形成されている、プロテーゼ構成部品。
【請求項１６】
股プロテーゼ大腿骨ステム構成部品において、
基端および先端、長手軸、および前方側および後方側を有するステムと、
前記ステムの長手軸にほぼ平行に前記ステムの前方側におけるある長さの部分に沿って形成された第１の複数のほぼ平行なリブであって、当該複数のリブにおいて隣接するリブの間の間隔が内側がわ方向に増加している、第１の複数のほぼ平行なリブと、
を備える、股プロテーゼ大腿骨ステム構成部品。
【請求項１７】
請求項１６に記載の大腿骨ステム構成部品において、
前記ステムの後方側に形成された第２の複数のリブをさらに備えており、当該第２の複数のリブが前記ステムの長手軸にほぼ平行に延在している、大腿骨ステム構成部品。
【請求項１８】
請求項１７に記載の大腿骨ステム構成部品において、
前記第２の複数のリブにおいて隣接するリブが内側がわ方向に増大する間隔を有している、大腿骨ステム構成部品。
【請求項１９】
請求項１７または１８に記載の大腿骨ステム構成部品において、
前記第１の複数のリブおよび第２の複数のリブが概ね対称である、大腿骨ステム構成部品。
【請求項２０】
請求項１７または１８に記載の大腿骨ステム構成部品において、
前記第１の複数のリブおよび第２の複数のリブが概ね非対称である、大腿骨ステム構成部品。
【発明の詳細な説明】
【０００１】
【発明の属する技術分野】
本発明は関節プロテーゼに関し、特に、骨の骨髄管内に挿入可能な関節プロテーゼに関する。
【０００２】
【従来の技術】
関節形成は既知の外科手術処理であって、当該処理によって病気および／または破損した自然の関節がプロテーゼ関節に置き換えられる。関節形成は一般に股、膝、肘等の関節において行われている。置換される自然の関節の健康状態等の条件によって移植に必要とされるプロテーゼの種類が決まる。股関節形成とは、自然の大腿骨が切除されて大腿骨構成部品が骨髄管の中に移植される外科手術処理をいう。全股関節形成においては、自然の股臼が股臼構成部品に置換されて、この股臼構成部品が大腿骨構成部品の頭部に関節面を与える。
【０００３】
大腿骨構成部品の効果的な移植はプロテーゼ構成部品の適正な初期的固定と長期の安定性を必要とする。骨髄管の中に大腿骨構成部品を固定する技法の一例として、骨セメント材を使用する方法がある。しかしながら、既知の骨セメント材には幾つかの欠陥があることが知られている。例えば、移植したプロテーゼが経時的に弛んで、結局、移植の外科手術的な修正が必要となる。
【０００４】
圧入プロテーゼ構成部品の骨髄管内への固定効果を高めるための別の試みとして、不均一に離間した段部のような移植部品上に形成した種々の表面形状部の使用がある。このような表面形状部は骨に対する特定の固定作用を有するが、プロテーゼ移植部品の全体的な形状を有効で緻密な網状組織の（cancellous）骨に対して最適化することが困難である。例えば、大腿骨の基端部における最も緻密な網状組織の骨は大腿骨の前外側がわ部および後外側がわ部に概ね位置していることが知られている。しかしながら、均一に離間するリブを有する移植部品は網状組織の骨における骨の密度勾配を考慮していないので、初期的な移植固定を最適化することが難しい。初期的な移植固定は骨と移植部品との間の動きを最小にするために重要であり、これによって、骨が移植部品の表面上に内部成長して長期の移植部品固定の可能性が高まる。
【０００５】
さらに、一部の大腿骨構成部品の外形形状は、品質の高い緻密な網状組織の骨を移植部品に適合するために除去する必要がある。このことは除去される骨よりも密度の低い網状組織の骨中に移植される表面形状部にも起こり得る。加えて、一部の移植部品は皮質の骨に一致するように形成されているので、あらゆる表面形状部が網状組織の骨の密度に関係なく配置されている。
【０００６】
【発明が解決しようとする課題】
それゆえ、骨の骨髄管内に移植する際に緻密な網状組織の骨の中への最適な固定を行なうための形状を備える骨係合リブの形態の表面形状部を有するプロテーゼ構成部品を提供することが望まれている。
【０００７】
【課題を解決するための手段】
本発明は固定特性を最適化する全体的輪郭および表面形状を有する関節プロテーゼを提供する。なお、本発明を股プロテーゼの大腿骨構成部品として主に図示しかつ説明するが、本発明が膝、肘等の別の関節プロテーゼにも適用可能であることが理解される。
【０００８】
実施形態の一例において、大腿骨の骨髄管内に移植するための人工の股大腿骨構成部品は大腿骨ステムの前方側および後方側に形成した複数の長手方向の骨係合リブを備えている。これらのリブは所定密度の網状組織の骨の中に最適に固定するように寸法決めおよび離間されている。なお、リブの所望の形状、間隔および数は網状組織の骨の密度プロファイルおよび移植寸法のような種々のファクターによって決めることができる。実施形態の一例においては、少なくとも３個の長手方向のリブがステムの表面状に形成されていて、これらの隣接リブ間の間隔が一方向に増加している。これらのリブは初期的な移植固定を確実に行ない、移植部品の微小運動を最小にして、移植部品から骨に対する負荷転移を助長する。
【０００９】
【発明の実施の形態】
本発明は、以下の図面に基づく詳細な説明によってより完全に理解される。なお、以下に示す図面は本明細書において開示する概念を例示するものであって、本発明の理解を容易にするためのものと解するべきである。さらに、これらの図面は寸法を特に設定する必要はなく、本発明の範囲は、本明細書に図示しかつ記載する実施形態における種々の構成部分における相対的な寸法により限定されるものではない。
【００１０】
図１は複数の骨係合リブ１２を有する股プロテーゼ大腿骨構成部品またはステム１０の例示的な実施形態を示している図である。この大腿骨構成部品１０は患者の大腿骨の骨髄管の中に移植するのに適している。以下に説明するように、リブ１２は大腿骨の骨髄管の中の緻密な網状組織の骨の中における固定を最適にするように離間されかつ寸法付けられている。大腿骨構成部品１０の全体形状は所定位置のリブ１２と緻密な網状組織の骨との間の接触を最適化する。
【００１１】
本明細書において使用する、「内側がわ（medial）」、「外側がわ（lateral）」、「前方（anterior）」および「後方（posterior）」の相対的な位置および方向は人体を基準にしている。なお、内側がわは「ないそくがわ」とよび、外側がわは「がいそくがわ」とよぶ。さらに、股プロテーゼ大腿骨構成部品との組合せにおいて使用する場合は、これらの用語は患者に移植後の構成部品の方向について一般的に言っている。しかしながら、これらの用語は相対的であり、本明細書に記載する股プロテーゼ大腿骨構成部品以外のプロテーゼ構成部品の場合には異なることがあり得る。
【００１２】
大腿骨構成部品１０は上方または基端側部分１４および下方または先端側部分１６を有している。第１の平面１８（図１参照）は大腿骨構成部品１０を内側がわ部２０および外側がわ部２２に分割しており、第２の平面２４（図２および図３参照）はステム１０を前方部分（前方側）２６および後方部分（後方側）２８に分割している。
【００１３】
ネック部３０は大腿骨構成部品１０の基端部１４から延出していて、ヘッドまたはボールジョイント（図示せず）に係合するように構成されている。このヘッドジョイントは自然の股臼空孔部またはプロテーゼ股臼構成部品の中に接合する。
【００１４】
リブ１２はステム１０の前方部分２６および後方部分２８の両方において当該大腿骨構成部品１０の基端部１４に概ね位置するように示されている。しかしながら、リブ１２は前方部分２６および後方部分２８のいずれかまたは両方において形成することができることが理解できる。さらに、これらのリブ１２は大腿骨構成部品１０の内側がわ部２０および／または外側がわ部２２に形成できることが分かる。加えて、１個以上のリブ１２がステムのほぼ全長に渡って、あるいは、比較的短い距離だけ延在することができる。
【００１５】
一般に、リブ１２は大腿骨構成部品１０の表面上に長手方向に延在して大腿骨の中の骨髄管内の最も緻密な網状組織の骨の位置に相応する必要がある。患者の大腿骨の中の最も緻密な網状組織の骨の位置はコンピュータ断層撮影（ＣＴ）または当該技術分野における通常の熟練者により知られる他のシステムの補助によって決定できる。このような情報は任意の患者に対応して特化したプロテーゼをあつらえるために使用できる。
【００１６】
従って、リブ１２の形状および間隔は、緻密な網状組織の骨の中での固定を最適化するように変更でき、骨への有効な負荷転移を可能にし、さらに、移植部品の骨に対する微小運動を最小にする。リブ１２は、骨係合端部(edge)１３を備えていれば、三角形、四辺形および一般的な凸状形態を含む種々の断面形状を有し得る。加えて、隣接するリブ同士は概ね平行にすることができ、また、僅かな、すなわち、１０°以下の角度を形成するように方向付けることもできる。端部１３は連続的であってもよく、また、別々の部分により形成することもできる。さらに、端部１３は一定の高さにすることができ、あるいは、一定のパターンまたは不規則にテーパー状または波打ち状にすることもできる。なお、用語の端部（edge）は、本明細書に使用する場合に、単一の頂上部および多数個の頂上部を含むものをいう。図１乃至図８、特に、図４乃至図６に示す実施形態においては、リブ１２は三角形の断面を有していて、端部の高さは先端側に減少している。
【００１７】
図８に示すように、各リブ１２は内側がわ側面部３４および外側がわ側面部３６を有しており、これらは交叉して端部または頂上部１３を形成しており、隣接するリブ１２は溝３８によって分離されている。リブ１２の端部１３は緻密な網状組織の骨に係合して骨髄管の中に大腿骨構成部品を固定するのに有効に作用する。なお、上記の内側がわ側面部３４、外側がわ側面部３６または溝３８の部分を表面模様付き（textured）にすれば、骨の内部成長を助長できることが理解できる。
【００１８】
当該技術分野における通常の熟練者であれば、リブ１２が種々のパラメータにより決められることが分かる。例えば、内側がわ側面部３４と外側がわ側面部３６とによって形成される角度Ａは約５°乃至約９０°の範囲で変えることができる。この角度Ａは移植部品と骨との間の運動を最小にするように最適化できる。実施形態の一例においては、角度Ａは約６０°である。
【００１９】
また、リブ１２の高さＨは約１ミリメートル乃至約６ミリメートルの範囲にすることができる。この高さは皮質の骨の中に侵入することなく移植部品の移動を最小にするように最適化できる。実施形態の一例においては、このリブ１２の高さＨをステム１０の長さに沿って変えて、緻密な網状組織の骨との最良の固定または接触を実現するようにできる。さらに、高さ（Ｈ）を隣接するリブの間で変えることができる。図１乃至図８に示す実施形態においては、高さＨはステム１０の基端１４ａの近くで最大で、先端方向に徐々に減少している。
【００２０】
また、ステム１０上に形成したリブ１２の間隔および数もまた緻密な網状組織の骨の中での固定を最適化するように変更できる。なお、本明細書で使用する用語の「間隔（spacing）」は隣接するリブ１２の端部１３の間の距離をいう。実施形態の一例においては、このリブ１２の間隔は内側がわ方向に増加している。すなわち、内側がわのリブ１２ａおよび内側がわのリブ１２ｂの間隔ＳＭは外側がわのリブ１２ｄおよび外側がわのリブ１２ｅの間の間隔ＳＬよりも大きい（図７参照）。例示の実施形態においては、これらのリブ１２の間隔は約２ミリメートル乃至約７ミリメートルの範囲で変更できる。
【００２１】
ステム表面上に形成したリブ１２の数は、骨の密度、移植部品の寸法およびリブのピッチのような多数のファクターによって変更可能である。このリブ１２の数は３個のリブから比較的大きな大腿骨用の約７個のリブまで変更可能である。図１乃至図８に示す実施形態においては、大腿骨構成部品１０は５個のリブ１２a乃至リブ１２ｅを有している。
【００２２】
さらに、リブ１２の長さも変更可能である。図１乃至図８に示す実施形態の一例においては、５個のリブ１２ａ乃至リブ１２ｅがステム１０の前方部分２６および後方部分２８のそれぞれに形成されている。３個の中間リブ１２ｂ乃至中間リブ１２ｄはステム１０の基端部１４ａからステム１０の中間部１５近くまで延在しており、最も内側がわのリブ１２ａおよび最も外側がわのリブ１２ｅは中間リブ１２ｂ乃至中間リブ１２ｄよりも短い距離で延在している。すなわち、最も内側がわのリブ１２ａ（図７参照）は基端１４ａからステム全長の約４分の１の点まで延在しており、最も外側がわのリブ１２ｅはステム全長の約３分の１の長さで延在している。この長さは、ステムが沈下または落ち込んだ場合に大腿骨のクラッキングの可能性を最小にしてステムから骨への捩れ負荷の転移を最大にするように最適化する必要がある。
【００２３】
なお、ステム１０の前方部分２６に形成したリブ１２は後方部分２８に形成したリブ１２に対してほぼ対称にすることができ、また、これらを非対称にすることも可能であることが理解できると考える。この非対称な前方／後方のリブ間隔は異なる骨の密度における固定特性を最適化することに適している。すなわち、前方部分２６に形成したリブは第１の密度を有する前方の網状組織の骨に対して最適化でき、後方部分２８に形成したリブは第２の密度を有する後方の網状組織の骨に対して最適化できる。なお、図１乃至図８の実施形態においては、これらの前方のリブおよび後方のリブは概ね対称である。
【００２４】
患者の骨髄管の中に大腿骨ステムを移植する前に、患者の大腿骨をＣＴ走査システムで調べて網状組織の骨の密度プロファイルを確認する。例えば、骨の密度は２ミリメートルのフレームで大腿骨の３分の１の基端側において決定できる。大腿骨構成部品１０の外側の輪郭およびリブ形状は所定の網状組織の骨の中における骨係合リブ１２の位置決めを容易にする。さらに、大腿骨構成部品１０およびリブ１２を緻密な網状組織の骨の中に移植することによって、最適な初期的固定、骨への好適な負荷転移、および最小の微小運動が達成される。また、最適なリブ形状によって、軸方向または捩れの負荷が加えられる時に、骨と移植部品との間の境界部分における微小運動が最小になる。なお、骨の内部成長を助長するためには、この微小運動を約５０マイクロインチよりも小さくする必要がある。
【００２５】
別の実施形態においては、プロテーゼ構成部品システムは大腿骨ステムのような複数の構成部品を備えており、各構成部品は特定の外形およびリブ形状を有している。大腿骨構成部品の形状は多くの患者のプロファイルにより蓄積された骨の密度に関する情報に基づいて形成できる。この情報により、種々の寸法の移植部品が形成でき、これらの移植部品の１個を選択することによって大半の患者に最適な固定特性を提供することができるようになる。それゆえ、ＣＴ走査処理を行なって患者の骨の密度プロファイルを得た後に、その骨の密度情報および骨の寸法に基づいて適当な構成部品が選択される。大腿骨は選択された大腿骨ステムを受容するように調整されて、当該ステムを所定密度の網状組織の骨の中に移植して最適な固定特性を達成できるようにする。
【００２６】
図１乃至図８に示す特定の実施形態の一例においては、大腿骨構成部品１０に５個のリブ１２ａ乃至リブ１２ｅが形成されている。ステム１０の全体の寸法はネック部を含まない約１７０ミリメートルの長さを含む。また、ステム１０の幅Ｗ（内側がわ方向−外側がわ方向、図６参照）および深さＤ（前方方向−後方方向）は当該ステム１０の先端側からその基端１４ａにかけて増加している。なお、幅Ｗは先端部において約１０ミリメートルであり、切断線６−６において約１６ミリメートル、切断線５−５において約２０ミリメートル、さらに切断線４−４において約４２ミリメートルである。一方、深さＤは先端部において約７ミリメートルであり、切断線６−６において約９ミリメートル、切断線５−５において約１１ミリメートル、さらに切断線４−４において約１８ミリメートルである。
【００２７】
５個のリブ１２は約８０ミリメートルの長さの中間リブ１２ｂ乃至中間リブ１２ｄと、約４０ミリメートルの長さの最も内側がわのリブ１２ａおよび約５５ミリメートルの長さの最も外側がわのリブ１２ｅを含む。これらのリブ１２ａ乃至リブ１２ｅはステム１０の基端部１４ａから延出している。
【００２８】
これらのリブ１２ａ乃至リブ１２ｅは切断線４−４の近傍において約２．０ミリメートルの幅Ｂ（図８参照）を有している。また、この幅Ｂは徐々に減少して切断線５−５においては約０．５ミリメートルになっている。このようにすることによって、基端側の負荷における捩れ負荷の転移を最大にすることができ、これによって、基端側の骨が吸収（resorption）される可能性が少なくなって長期の移植固定の可能性が増加する。
【００２９】
隣接するリブ１２の間隔は内側がわ部に向って増加しており、端部から端部の間で計測した場合に、隣接リブの間隔は約５．１ミリメートル（１２ａ，１２ｂ）、約４．８ミリメートル（１２ｂ，１２ｃ）、約４．３ミリメートル（１２ｃ，１２ｄ）および約３．８ミリメートル（１２ｄ，１２ｅ）である。また、リブ１２の高さＨは約１．７ミリメートルである。
【００３０】
当該技術分野における熟練者であれば、上記の実施形態に基づいて本発明のさらに別の特徴および利点を知得することが可能である。従って、本発明は、特許請求の範囲における各請求項ならびに以下に記載する各実施態様を除いて、特定的に図示および記載したものによりその範囲が限定されるものではないと解するべきである。なお、本明細書において引用した全ての刊行物および文献の内容全体を本明細書において参考文献として含むものとする。
【００３１】
本発明の具体的な実施態様は以下の通りである。
（Ａ）表面および長手軸を有する細長い本体部と、
前記本体部の表面に形成されて前記本体部の長手軸にほぼ平行に延在する複数のリブとから成り、当該複数のリブが、
第１のリブと、
当該第１のリブに隣接する第２のリブと、
当該第２のリブに隣接する第３のリブを備えており、第１のリブおよび第２のリブの間の第１の間隔が第２のリブおよび第３のリブの間の第２の間隔よりも大きいことを特徴とする移植可能なプロテーゼ構成部品。
（１）前記第１のリブおよび第２のリブが互いに平行である実施態様（Ａ）に記載のプロテーゼ構成部品。
（２）前記第１のリブおよび第２のリブの長さが異なる実施態様（Ａ）に記載のプロテーゼ構成部品。
（３）前記プロテーゼ構成部品が股プロテーゼの大腿骨構成部品である実施態様（Ａ）に記載のプロテーゼ構成部品。
（４）前記第２のリブが前記第１のリブよりも外側がわにある実施態様（３）に記載のプロテーゼ構成部品。
（５）前記第１の間隔および第２の間隔が約４ミリメートル乃至約６ミリメートルの範囲で変化する実施態様（Ａ）に記載のプロテーゼ構成部品。
【００３２】
（６）前記複数のリブがそれぞれそのリブの頂上部により形成される骨係合端部を有している実施態様（Ａ）に記載のプロテーゼ構成部品。
（７）前記骨係合端部がプロテーゼ構成部品の長さに沿って増大する高さを有している実施態様（６）に記載のプロテーゼ構成部品。
（８）前記高さがプロテーゼ構成部品の基端部から先端部にかけて減少している実施態様（７）に記載のプロテーゼ構成部品。
（９）前記複数のリブがそれぞれ約０．５ミリメートル乃至約５．０ミリメートルの範囲の高さを有している実施態様（Ａ）に記載のプロテーゼ構成部品。
（１０）前記第１のリブが前記第２のリブの高さとは異なる高さを有している実施態様（Ａ）に記載のプロテーゼ構成部品。
【００３３】
（１１）前記複数のリブがそれぞれほぼ三角形の断面を有している実施態様（Ａ）に記載のプロテーゼ構成部品。
（１２）前記複数のリブがさらに第４のリブおよび第５のリブを含み、第１のリブ、第２のリブ、第３のリブ、第４のリブおよび第５のリブの少なくとも１個が前記本体部の一端から当該本体部の全長の約２分の１の点まで延在している実施態様（９）に記載のプロテーゼ構成部品。
（１３）前記プロテーゼ構成部品が股プロテーゼの大腿骨構成部品であり、前記リブが前記本体部の前方部分に形成されている実施態様（Ａ）に記載のプロテーゼ構成部品。
（１４）さらに、リブが前記本体部の後方部分に形成されている実施態様（１３）に記載のプロテーゼ構成部品。
（Ｂ）基端および先端、長手軸、および前方側および後方側を有するステムと、
前記ステムの長手軸にほぼ平行に前記ステムの前方側におけるある長さの部分に沿って形成された第１の複数のほぼ平行なリブとから成り、当該複数のリブにおいて隣接するリブの間の間隔が内側がわ方向に増加していることを特徴とする股プロテーゼ大腿骨ステム構成部品。
（１５）さらに、前記ステムの後方側に形成された第２の複数のリブを備えており、当該第２の複数のリブが前記ステムの長手軸にほぼ平行に延在している実施態様（Ｂ）に記載の大腿骨ステム構成部品。
【００３４】
（１６）前記第２の複数のリブにおいて隣接するリブが内側がわ方向に増大する間隔を有している実施態様（１５）に記載の大腿骨ステム構成部品。
（１７）前記第１の複数のリブおよび第２の複数のリブが概ね対称である実施態様（１５）に記載の大腿骨ステム構成部品。
（１８）前記第１の複数のリブおよび第２の複数のリブが概ね非対称である実施態様（１５）に記載の大腿骨ステム構成部品。
【００３５】
【発明の効果】
以上説明したように、本発明によれば、骨髄管内に移植する際に緻密な網状組織の骨の中への最適な固定を行なうための形状を備える骨係合リブの形態の表面形状部を有するプロテーゼ構成部品が提供できる。
【図面の簡単な説明】
【図１】  本発明に従う股プロテーゼ大腿骨構成部品の前面図である。
【図２】  図１の大腿骨構成部品の外側がわについての側面図である。
【図３】  図１の大腿骨構成部品の内側がわについての側面図である。
【図４】  図１の大腿骨構成部品における線４−４に沿う断面図である。
【図５】  図１の大腿骨構成部品における線５−５に沿う断面図である。
【図６】  図１の大腿骨構成部品における線６−６に沿う断面図である。
【図７】  図１の大腿骨構成部品の上面図である。
【図８】  図７の大腿骨構成部品の線８−８に沿う一部分の詳細図である。
【符号の説明】
１０  股プロテーゼ大腿骨構成部品（ステム）
１２  骨係合リブ
【図１】
0004118466.tif 000002
【図２】
0004118466.tif 000003
【図３】
0004118466.tif 000004
【図４】
0004118466.tif 000005
【図５】
0004118466.tif 000006
【図６】
0004118466.tif 000007
【図７】
0004118466.tif 000008
【図８】
0004118466.tif 000009